(57)【要約】【課題】検出器の相応の作動時に選択的に、高い時間分解能、高いボリューム網羅、あるいはコンピュータ断層撮影装置のシステム軸線に対する垂直方向の大きな検査範囲断面網羅にて、検査範囲の柔軟な走査を実施可能にする。【解決手段】第１の投影方向の投影を検出するための１つの第１の検出器範囲（１）を含み、さらに第２の投影方向および第３の投影方向の投影を検出するための少なくとも１つの第２の検出器範囲（２）および少なくとも１つの第３の検出器範囲（３）を含む。【選択図】図１
2006116310.tif 000002
【特許請求の範囲】
【請求項１】
第１の投影方向の投影を検出するための１つの第１の検出器範囲（１）を含み、さらに第２の投影方向および第３の投影方向の投影を検出するための少なくとも１つの第２の検出器範囲（２）および少なくとも１つの第３の検出器範囲（３）を含むことを特徴とするコンピュータ断層撮影装置用の検出器。
【請求項２】
第１の検出器範囲（１）は２つの部分（Ａ１，Ａ２）に区分可能であり、第１の部分（Ａ１）は、コンピュータ断層撮影装置のシステム軸線（Ｚ）に対して少なくともほぼ平行に延びる検出器（８）の縦軸線（７）に対して横方向に、第２の部分（Ａ２）よりも大きな広がりを有することを特徴とする請求項１記載の検出器。
【請求項３】
第１の検出器範囲（１）は付加的に第３の部分（Ａ３）に区分可能であり、第３の部分（Ａ３）は、第３の部分（Ａ３）が検出器（８）の縦軸線（７）に対する横方向の広がりにおいて第２の部分（Ａ２）とほぼ一致しかつ検出器（８）の縦軸線（７）の方向において第１の部分（Ａ１）の広がりと第２の部分（Ａ２）の広がりとの和にほぼ一致するように第２の部分（Ａ２）と第１の部分（Ａ１）の一部とを含むことを特徴とする請求項２記載の検出器。
【請求項４】
第２の検出器範囲（２）と第３の検出器範囲（３）と第１の検出器範囲（１）の第２の部分（Ａ２）とは、縦軸線（７）の方向におよび縦軸線（７）の方向に対して横方向にほぼ同じ広がりを有することを特徴とする請求項２又は３記載の検出器。
【請求項５】
第１の検出器範囲（１）の第２の部分（Ａ２）は、それぞれ１つの測定領域を有する第２の検出器範囲（２）と第３の検出器範囲（３）との間に配置されていることを特徴とする請求項２乃至４の１つに記載の検出器。
【請求項６】
第１の検出器範囲（１）は、少なくとも３つの測定領域（Ｍ１，Ｍ２，Ｍ３）が使用可能であるように動作可能であることを特徴とする請求項１乃至５の１つに記載の検出器。
【請求項７】
第１の測定領域（Ｍ１）が第１の部分（Ａ１）に割り当てられ、第２の測定領域（Ｍ２）が第２の部分（Ａ２）に割り当てられ、第３の測定領域（Ｍ３）が第３の部分（Ａ３）に割り当てられていることを特徴とする請求項６記載の検出器。
【請求項８】
第１の検出器範囲（１）の第２の測定領域（Ｍ２）は、第２の検出器範囲（２）の測定領域（Ｍ４）および第３の検出器範囲（３）の測定領域（Ｍ５）と一緒に動作可能であることを特徴とする請求項７記載の検出器。
【請求項９】
検出器（８）は、第１の測定領域（Ｍ１）に割り当てられた第１の位置（１３）へ、第２の測定領域（Ｍ２）に割り当てられた第２の位置（１４）へ、第３の測定領域（Ｍ３）に割り当てられた第３の位置（１５）へ、第１のＸ線放射器（４）から出射するＸ線がそれぞれの測定領域（Ｍ１もしくはＭ２もしくはＭ３）を照射するように第１のＸ線放射器（４）に対して相対的に調整可能であることを特徴とする請求項６乃至８の１つに記載の検出器。
【請求項１０】
請求項１乃至９の１つに記載の検出器（８）および少なくとも１つの第１のＸ線放射器（４）を有しシステム軸線を中心に回転可能に配置された撮影システムを備えていることを特徴とするコンピュータ断層撮影装置。
【請求項１１】
第１のＸ線放射器（４）のＸ線は、第１の測定領域（Ｍ１）、第２の測定領域（Ｍ２）および第３の測定領域（Ｍ３）に対して、Ｘ線がそれぞれの測定領域を照射するように調整可能であることを特徴とする請求項１０記載のコンピュータ断層撮影装置。
【請求項１２】
Ｘ線の向きが第１のＸ線放射器（４）の移動によって調整可能であることを特徴とする請求項１１記載のコンピュータ断層撮影装置。
【請求項１３】
第１のＸ線放射器（４）のＸ線は調整可能な絞り（２３）によりそれぞれの測定領域（Ｍ１もしくはＭ２もしくはＭ３）に合わせることが可能であることを特徴とする請求項１０乃至１２の１つに記載のコンピュータ断層撮影装置。
【請求項１４】
撮影システムは第２のＸ線放射器（５）および第３のＸ線放射器（６）を含み、第２のＸ線放射器（５）は第２の検出器範囲（２）に付設され、第３のＸ線放射器（６）は第３の検出器範囲（３）に付設されていることを特徴とする請求項１０乃至１３の１つに記載のコンピュータ断層撮影装置。
【発明の詳細な説明】
【技術分野】
【０００１】
本発明は、コンピュータ断層撮影装置用の検出器およびこのような検出器を備えたコンピュータ断層撮影装置に関する。
【背景技術】
【０００２】
検出器もしくは検出器を備えたコンピュータ断層撮影装置は公知である（例えば、特許文献１参照）。この検出器は、公知のケースでは矩形状に構成され、Ｘ線放射器の焦点から出射するＸ線が検出器の測定領域に入射するようにＸ線放射器に対向して向けられている。検出器およびＸ線放射器は回転枠によりコンピュータ断層撮影装置のシステム軸線の周りを回転移動することができる。コンピュータ断層撮影装置の作動時には撮影システムの回転中に検査範囲からこのようにして異なる回転角位置もしくは異なる投影方向からの多数の投影が時間的に相前後して１つの検出器によって検出され、後続の処理段によりスライス画像またはボリューム画像が算出される。
【０００３】
検出器は、典型的には検査の特殊な適用分野を顧慮して大きさを合わせられる。心臓の検査に合わせられた検出器は、例えば大きなボリュームの検出とモーションアーチファクトの抑制のために、コンピュータ断層撮影装置のシステム軸線の方向に大きな広がりを有する。更に、患者体内の検査の場合、システム軸線方向に対して横方向に大きな検出器広がりを要求される。
【０００４】
更に、互いに分離されて配置された複数の撮影システムを有するコンピュータ断層撮影装置も公知である（例えば、特許文献２参照）。各撮影システムは、それぞれ１つの検出器および１つのＸ線放射器を含み、２つの異なる投影方向からの投影を同時に検出する。複数の撮影システムを備えたこの種のコンピュータ断層撮影装置は、検査範囲の走査が高められた走査速度で行なわれるべき場合に使用される。
【特許文献１】独国特許第１９５０２５７４号明細書
【特許文献２】独国特許出願公開第２９１６８４８号明細書
【発明の開示】
【発明が解決しようとする課題】
【０００５】
本発明の課題は、検査範囲の走査が簡単な手段により柔軟に可能であるように、コンピュータ断層撮影装置用の検出器およびコンピュータ断層撮影装置を構成することにある。
【課題を解決するための手段】
【０００６】
検出器に関する課題は請求項１の特徴事項による検出器によって解決される。検出器の有利な実施態様は請求項２乃至９に記載されている。
【０００７】
本発明によれば、検出器は、第１の投影方向の投影を検出するための１つの第１の検出器範囲含み、さらに第２の投影方向および第３の投影方向の投影を検出するための少なくとも１つの第２の検出器範囲および少なくとも１つの第３の検出器範囲を含む。
【０００８】
１つのみの検出器の異なる検出器範囲が組合せで又は独立に動作可能であるので、検査範囲を必要に応じて柔軟に走査することができる。検出器範囲の同時動作時には、例えば少なくとも３つの異なる投影方向からの投影の同時検出が実行可能であるので、検査範囲の走査を高められた時間分解能もしくは高められた走査速度で行なうことができる。しかし、第１の検出器範囲は独立に第２の検出器範囲および第３の検出器範囲と関係なく動作することも可能である。第１の検出器範囲については次の区分が設けられていることが好ましい。
【０００９】
本発明の第１の有利な実施態様では、第１の検出器範囲は２つの部分に区分可能であり、第１の部分は、コンピュータ断層撮影装置のシステム軸線に対して少なくともほぼ平行に延びる検出器の縦軸線に対して横方向（直角方向）に、第２の部分よりも大きな広がりを有する。
【００１０】
更に、第１の検出器範囲は付加的に第３の部分に区分可能であり、第３の部分は、第３の部分が検出器の縦軸線に対する横方向の広がりにおいて第２の部分とほぼ一致しかつ検出器の縦軸線の方向において第１の部分の広がりと第２の部分の広がりとの和にほぼ一致するように第２の部分と第１の部分の一部とを含むと好ましい。第１の検出器範囲は、このような細分化によって簡単に通常の矩形の検出器モジュールにより構成することができる。
【００１１】
第１の検出器範囲は、区分された部分に応じて、とりわけ少なくとも３つの互いに独立に作動可能な測定領域を含み、第１の測定領域は第１の部分に割り当てられ、第２の測定領域は第２の部分に割り当てられ、第３の測定領域は第３の部分に割り当てられている。異なるサイズの測定領域は検査すべき対象に合わせられた走査を可能にする。測定領域は直接に部分から構成されると好ましい。しかしながら、当該部分よりも小さい測定領域も考えられ得る。
【００１２】
第１の測定領域は独立に使用可能であり、検出器の縦軸線に対して横方向における測定領域面の大きな広がりによって、他の全ての測定領域に比べて、特に、大きな横断面広がりを有する対象の走査を可能にする。
【００１３】
これとは違って第２の測定領域はとりわけ第２の検出器範囲の測定領域および第３の検出器範囲の測定領域と関連して使用可能であるので、対象の走査を同時に３つの異なる投影方向から行なうことができる。走査は、既に述べたように、このような作動時には高められた時間分解能もしくは高められた走査速度で実行される。第２の検出器範囲および第３の検出器範囲は、第１の検出器範囲の第２の部分に比べて、縦軸線の方向におよび縦軸線の方向に対して横方向にほぼ同じ広がりを有すると望ましく、それによって３つの異なる投影方向がそれぞれ、検出すべき検査範囲の少なくともほぼ大きさの等しい空間角を有する。コンピュータ断層撮影装置のシステム軸線に沿った同じ位置で走査が行なわれるように、第１の検出器範囲の第２の部分は第２の検出器範囲と第３の検出器範囲との間に配置されていると好ましい。
【００１４】
第２の検出器範囲および第３の検出器範囲は第１の検出器範囲の第２の部分に比べて曲げられていると好ましい。Ｘ線放射器および付設の検出器範囲は、それぞれのＸ線放射器から出射するＸ線ファンビームが検出器表面に垂直に入射するように、互いに調整されている。第２の検出器範囲および第３の検出器範囲と第１の検出器範囲の第２の部分とは、このために、例えば同じ半径でコンピュータ断層撮影装置のシステム軸線に対して垂直に配置され、この半径に対応した曲率の円を形成する。それぞれのＸ線放射器の焦点が対応する対向側にシステム軸線に対して等しい距離で配置されている場合、同じ写像特性を有する投影が得られる。
【００１５】
第３の測定範囲も独自に作動可能である。他の全ての測定領域に比べた検出器の縦軸線方向における第３の測定領域の大きい広がりは、対象の走査を大きなボリュームを網羅して行なうことができるという利点を提供する。従って、動的な対象検査、例えばパフュージョンにおいて発生するような対象特有の運動によるモーションアーチファクトを避けることができる。
【００１６】
検出器は、第１の測定領域に割り当てられた第１の位置へ、第２の測定領域に割り当てられた第２の位置へ、第３の測定領域に割り当てられた第３の位置へ、コンピュータ断層撮影装置のＸ線放射器から出射するＸ線がそれぞれの測定領域を照射するように調整可能であると好ましい。検出器位置の調整は、例えばそのために設けられたレールシステムにより簡単に行なうことができ、それぞれの活性測定領域に中心を合わせた照射を保証する。
【００１７】
更に、コンピュータ断層撮影装置に関する課題は丁度説明した検出器を備えた請求項１０によるコンピュータ断層撮影装置によって解決される。このコンピュータ断層撮影装置の有利な実施態様は従属請求項１１乃至１４に記載されている。
【００１８】
測定領域に合わせられた照射は、本発明の有利な実施態様において、第１のＸ線放射器のＸ線の調整によっても行なうことができる。Ｘ線の調整は例えばレール上に支持された第１のＸ線放射器の移動によって簡単に可能であるので、Ｘ線によって第１の測定領域、第２の測定領域および第３の測定領域が中心を合わされて照射される。
【００１９】
対象の不必要なＸ線被曝を避けることができるように、第１のＸ線放射器のＸ線は調整可能な絞りによりそれぞれの測定領域に対して調整可能であると好ましい。
【００２０】
コンピュータ断層撮影装置の撮影システムは第２のＸ線放射器および第３のＸ線放射器を含むと好ましく、第２のＸ線放射器は第２の検出器範囲に付設され、第３のＸ線放射器は第３の検出器範囲に付設される。
【発明を実施するための最良の形態】
【００２１】
本発明および従属請求項による本発明の他の好ましい構成が次の概略図面にて示されている
図１は本発明による検出器を備えたコンピュータ断層撮影装置を一部はブロック図で一部は透視図で示す。
図２は図１の本発明による検出器を平面図で示す。
図３は図１の本発明によるコンピュータ断層撮影装置の撮影システムを側面図で示し、付加的に位置調整可能な絞りが示されている。
【００２２】
図１には本発明によるコンピュータ断層撮影装置が一部はブロック図で一部は透視図で示されている。コンピュータ断層撮影装置は、主として、本発明に従って設けられた検出器８とこの検出器に付設された３つのＸ線放射器４，５，６とを備えた撮影システム、コンピュータユニット２５および表示ユニット２６を含む。
【００２３】
検出器８は３つの異なる検出器範囲１，２，３を有する。各検出器範囲１もしくは２もしくは３には、特定の投影方向の投影を検出するために、それぞれ１つのＸ線放射器４もしくは５もしくは６が付設されている。第１のＸ線放射器４は第１の検出器範囲１に付設され、第２のＸ線放射器５は第２の検出器範囲２に付設され、第３のＸ線放射器６は第３の検出器範囲３に付設されている。Ｘ線放射器４もしくは５もしくは６と、検出器範囲１もしくは２もしくは３とは、それぞれ、１つの図示されていない回転枠に、コンピュータ断層撮影装置の作動時にそれぞれのＸ線放射器４もしくは５もしくは６の焦点から出射してそれぞれ縁部Ｘ線９もしくは１０もしくは１１によって区切られたＸ線が該当の検出器範囲１もしくは２もしくは３に入射するように対向配置されている。Ｘ線放射器４，５，６は、図１に示された直交座標系のｚ軸の周りの周方向に相当する回転枠の回転方向において、回転枠に沿った異なる位置に配置されているので、１つのみの検出器８により、寝台装置１２上に横たわっている検査対象の３つの異なる投影方向からの投影を同時に検出することができる。
【００２４】
検出器８は、各検出器範囲１もしくは２もしくは３において、投影を検出するために行および列に配置された検出器要素１９を有し、図にはそれらのうちの１つのみが符号を付されている。検出器８は模範的にはシンチレーション検出器または直接変換型半導体検出器の動作原理に従って動作するとよい。本明細書においてＸ線放射器とは、焦点から出射するＸ線を発生するあらゆるＸ線源であると解される。Ｘ線放射器はこの意味において例えばＸ線管である。
【００２５】
図２は、３つの異なる検出器範囲１，２，３を備えた本発明による検出器８を平面図で示す。第１の検出器範囲１はＴ字形の形状を有し、幾何学的には原理的に２つの部分Ａ１，Ａ２に区分可能である。第１の部分Ａ１は、図１に示された直交座標系のｚ軸に対して少なくともほぼ平行に延びる検出器８の縦軸線７に対して横方向（すなわち直角方向）に、第２の部分Ａ２よりも大きな広がりを有する。幾何学的に可能な第３の部分Ａ３は、第２の部分Ａ２と第１の部分Ａ１の一部分との組合せによってもたらされるので、第３の部分Ａ３は検出器８の縦軸線７に対して横方向には第２の部分Ａ２とほぼ一致し、検出器８の縦軸線７の方向には第１の部分Ａ１の広がりと第２の部分Ａ２の広がりとの和にほぼ一致する。
【００２６】
各部分Ａ１もしくはＡ２もしくはＡ３は矩形の形状を有する。この区分けの利点は、とりわけ第１の検出器範囲１を通常の矩形の検出器モジュールによって構成することができる可能性からもたらされ、しかも各部分Ａ１もしくはＡ２もしくはＡ３は多数の検出器モジュールを含んでいるとよい。
【００２７】
他の両検出器範囲２，３は、第１の検出器範囲１と関連付けて、第１の検出器範囲１の第２の部分Ａ２が第２の検出器範囲２と第３の検出器範囲３との間に位置決めされ、第２の検出器範囲２の面の中心点２１と、第３の検出器範囲３の面の中心点２２と、第１の検出器範囲１の第２の部分Ａ２の中心点２０とが、検出器８の縦軸線７に対して横方向に一直線に並んでいるように配置されている。
【００２８】
第１の検出器範囲１は、３つの異なる測定領域Ｍ１，Ｍ２，Ｍ３が使用可能であるように動作させられるとよい。この例では、第１の測定領域Ｍ１は第１の部分Ａ１に対応し、第２の測定領域Ｍ２は第２の部分Ａ２に対応し、第３の測定領域Ｍ３は第３の部分Ａ３に対応する。しかし、３つよりも多い使用可能な測定領域または他のサイズの測定領域または第１の検出器範囲の他の形状の部分も考え得る。それぞれの測定領域によって検出器の縦軸線の方向および縦軸線に対して横方向における検査範囲の投影が検査の必要条件に応じて検出されることだけが決定的に重要である。第１の検出器範囲１のＴ字形の基本形状は多くの可能な実施形態のうちの１つにすぎない。
【００２９】
第１の検出器範囲１の第１の測定領域Ｍ１は独立に動作可能であり、他の全ての測定領域Ｍ２，Ｍ３，Ｍ４，Ｍ５に比べて、検出器の縦軸線に対する横方向に大きな広がりを有し、大きな横断面広がりを有する検査対象の検出を可能にする。従って、第１の測定領域Ｍ１は例えば患者体内の検査に適している。
【００３０】
これとは違って、第３の測定範囲Ｍ３は、他の全ての測定範囲Ｍ１，Ｍ２，Ｍ４，Ｍ５に比べて、検出器８の縦軸線７の方向に大きな広がりを持つ。第３の測定範囲Ｍ３は同様に独立に動作可能であり、モーションアーチファクトのない投影検出のためには検出器８の縦軸線７の方向においてボリュームを大きく網羅することが必要である。高いボリューム網羅は例えばパフュージョンの如き動的な対象検査の場合に必要である。
【００３１】
第１の検出器範囲１の第２の測定範囲Ｍ２は第２の検出器範囲２の測定範囲Ｍ４および第３の検出器範囲３の測定範囲Ｍ５と一緒に使用することができるので、１つの検査範囲から撮影システムの各回転角位置において３つの異なる投影方向からの投影を同時に撮影することができる。検出器８のこの種の作動では、高い走査速度もしくは高い時間分解能で走査が行なわれる。異なる測定範囲Ｍ２，Ｍ４，Ｍ５から得られた生データを簡単に相互に処理することができるようにするために、第２の検出器範囲２の測定領域Ｍ４、第３の検出器範囲３の測定領域Ｍ５および第１の検出器範囲１の第２の測定領域Ｍ２は少なくともほぼ同じサイズを有する。
【００３２】
ちょうど今説明したように、それぞれ異なる投影方向を割り当てられた第１の検出器範囲１と第２の検出器範囲２および第３の検出器範囲３とを組み合わせることによって、他の分野の異なる種類の検査に使用可能である。検出器８の作動に応じて、高い時間分解能による検査範囲の走査、高いボリューム網羅による検査範囲の走査、あるいはコンピュータ断層撮影装置のシステム軸線に対して垂直な横断面を大きく網羅した検査範囲の走査を選択的に行なうことが可能である。
【００３３】
検出器８およびＸ線放射器４は、図１に示されているように、互いに相対的に調整可能であるので、その都度、第１の検出器範囲１の活性測定領域Ｍ１もしくはＭ２もしくはＭ３の中心にＸ線を向けることができる。このＸ線の向きの調整は、例えばｚ軸の方向において、第１の検出器範囲１に割り当てられた第１の位置１３へ、第２の検出器範囲２に割り当てられた第２の位置１４へ、第３の検出器範囲３に割り当てられた第３の位置１５へ検出器８を位置調整することよって行なわれる。検出器８に代えて、Ｘ線の向きの調整のために、それぞれ１つの検出器範囲に割り当てられた３つの位置１６もしくは１７もしくは１８へ第１のＸ線放射器４が位置調整可能であってもよい。この場合に、位置調整は、例えば検出器８もしくは第１のＸ線放射器４に付設されたレールシステムにより行なうことができる。
【００３４】
位置の正確な調整のために、例えばコンピュータユニットを介して使用者入力に応じて駆動可能であるサーボモータが設けられると望ましい。使用者はコンピュータユニットにおいて操作ソフトウェアにより検査開始前に種々の作動モードから１つを選択することができる。更にコンピュータユニットは制御信号を発生し、それにより相応の構成要素が位置決めされて、検査のために活性状態にある測定領域が照射されることが保証される。
【００３５】
図３は、本発明によるコンピュータ断層撮影装置の撮影システムを、ｚ軸方向の注視方向を有する側面図で示し、第１のＸ線放射器４に付設された位置調整可能な絞り２３が付加的に示されている。位置調整可能な絞り２３が、第１の検出器範囲１におけるその都度活性化される測定領域Ｍ１もしくはＭ２もしくはＭ３にＸ線ファンビームを合わせることを可能にするので、一方では測定領域Ｍ１もしくはＭ２もしくはＭ３の完全な照射が保証され、他方では患者の不必要なＸ線被曝が避けられる。絞り２３における図３に示された第１の設定絞り開口は、第２の縁部Ｘ線２４によって区切られたＸ線ファンビームを、第１の検出器範囲１の第２の測定範囲Ｍ２の完全な照射が保証されるように絞り込む。破線で示された第２の絞り開口への絞り２３の位置調整によって、検出器８に対する相対的な第１のＸ線放射器４の相応の位置において、第１の測定領域Ｍ１へのＸ線の完全でかつ必要限度の絞込みが可能である。第１の測定領域Ｍ１の照射のために絞込まれたＸ線が図３に第１の縁部Ｘ線９によって示されている。
【００３６】
望ましくは、第２の検出器範囲２および第３の検出器範囲３と、第１の検出器範囲１のうちの第２の測定領域Ｍ２に割り当てられた部分とは、ｚ軸に対して垂直な方向に、少なくともほぼ同じ間隔２７で配置されているので、相応の測定領域によって検出された投影は同一の写像特性を有する。
【図面の簡単な説明】
【００３７】
【図１】本発明による検出器を備えたコンピュータ断層撮影装置の概略構成図
【図２】図１の本発明による検出器の平面図
【図３】図１の本発明によるコンピュータ断層撮影装置の撮影システムの側面図
【符号の説明】
【００３８】
１        第１の検出器範囲
２        第２の検出器範囲
３        第３の検出器範囲
４        第１のＸ線放射器
５        第２のＸ線放射器
６        第３のＸ線放射器
７        縦軸線
８        検出器
９        縁部Ｘ線
１０        縁部Ｘ線
１１        縁部Ｘ線
１２        支持装置
１３        位置
１４        位置
１５        位置
１６        位置
１７        位置
１８        位置
１９        検出器要素
２０        中心点
２１        中心点
２２        中心点
２３        絞り
２４        縁部Ｘ線
２５        コンピュータユニット
２６        表示ユニット
２７        間隔
Ａ１        第１の部分
Ａ２        第２の部分
Ａ３        第３の部分
Ｍ１        第１の検出器範囲の第１の測定領域
Ｍ２        第１の検出器範囲の第２の測定領域
Ｍ３        第１の検出器範囲の第３の測定領域
Ｍ４        第２の検出器範囲の測定領域
Ｍ５        第３の検出器範囲の測定領域
【図１】
2006116310.tif 000003
【図２】
2006116310.tif 000004
【図３】
2006116310.tif 000005